(57)【要約】【課題】撮影した映像がホールド型ディスプレイで表示される際に、その映像のぼけを軽減することができる撮影機器を提供する。【解決手段】被写体との距離を所定のタイミング毎に測定し、該測定した距離の変化に基づいて被写体の動きを検出する。そして、被写体の動きを検出した場合に、撮影した画像データと予め記憶する黒画像データとを交互に記録媒体へ出力する。【選択図】図１
2008072457.tif 000002
【特許請求の範囲】
【請求項１】
被写体との距離を所定のタイミング毎に測定する距離測定手段と、
前記測定した距離の変化に基づいて前記被写体の動きを検出する動き検出手段と、
前記被写体の動きを検出した場合に、撮影した画像データと予め記憶する一定階調の画像データとを交互に記録媒体へ出力する切替手段と、
を備えることを特徴とする撮影機器。
【請求項２】
撮影した画像データを所定の第１タイミング毎に受付けてその都度一時記憶し、当該一時記憶した画像データを前記第１タイミングの整数ｎ倍（ｎ≧２）の第２タイミング毎に出力する第１の記憶手段を備え、
前記距離測定手段は、前記被写体との距離を前記第２タイミング毎に測定し、
前記動き検出手段は、前記距離の情報の入力を受付ける度にその距離の変化量に応じて前記被写体の動きを検出し、当該被写体の動きを検出した場合に動き検出信号を出力する動き検出手段と、
前記切替手段は、前記動き検出信号の入力を検出した場合に、前記第１の記憶手段に記録された画像データと第２の記憶手段に予め記憶されている前記一定階調の画像データを前記第２タイミング毎に順に切り替えて記録媒体へ出力する
ことを特徴とする請求項１に記載の撮影機器。
【請求項３】
前記動き検出手段は、前記距離の変化量が所定の閾値以下である場合には、前記動き検出信号の出力の頻度を低下させる
ことを特徴とする請求項２に記載の撮影機器。
【発明の詳細な説明】
【技術分野】
【０００１】
本発明は、映像再生時のちらつきを防止した映像を記録する撮影機器に関する。
【背景技術】
【０００２】
液晶ディスプレイは入力された映像信号における１フレームの各画像を当該ディスプレイ全面領域に順に表示している。そしてこのようにディスプレイ全面領域に１フレーム内の各画像を表示して一定期間画像を表示して保持し、また次のフレームの画像を表示して、この繰り返しの処理を早くすることにより映像を表示するディスプレイ装置を、ホールド型ディスプレイと呼ぶ。ここで一般に、ディスプレイ全面領域に時系列的に表示された前後の各フレームを観察したユーザは、当該前後のフレーム画像によって表示される映像に動きがある場合、前に表示されたフレームの画像の記憶の影響により後に表示されるフレームの画像がぼけて見える。従ってホールド型ディスプレイではこのぼけを解消するために、１フレームの間に映像の出ない期間を、当該１フレームの各画像が表示される期間の３０％〜５０％の間設ける。つまり１フレームの各画像が表示される期間の３０％〜５０％の間に、例えば黒一律の階調の画像をディスプレイ全面に表示する。これにより時系列的に前に表示されたフレームの画像の記憶を、ディスプレイを観察するユーザから削除する効果をおよぼし、これにより映像ぼけが低減することが知られている。そしてこの技術を応用した液晶表示装置が特許文献１に公開されている。
【特許文献１】特開２００５−１０５７９号公報
【発明の開示】
【発明が解決しようとする課題】
【０００３】
しかしながら上述のような液晶表示装置は映像ぼけを解消するために必要であるが、映像に対して新たに黒画像を挿入するための回路が当該表示装置内に必要となるため、表示装置の価格が高価になってしまう。
【０００４】
そこでこの発明は、表示装置に黒画像を挿入するための回路を設けることを不要とし、表示装置のコストを上昇させることなく、動画ぼけを抑制可能とする手段の提供を目的とする。
【課題を解決するための手段】
【０００５】
上記の課題を解決するために、本願発明者は、黒表示のデータが予め挿入された動画像のデータを提供することができれば、表示装置において黒画像を挿入する回路が不要になる、という技術思想に至った。
【０００６】
このような技術思想を実現するために、画像の撮影段階、すなわち、映像撮影機器において、撮影した動画像データに黒表示のデータを挿入することで、予め黒表示のデータが挿入された動画像データを作成することを可能とするのが本発明の概略である。
【０００７】
具体的な手段として、上記目的を達成するために、本発明は、被写体との距離を所定のタイミング毎に測定する距離測定手段と、前記測定した距離の変化に基づいて前記被写体の動きを検出する動き検出手段と、前記被写体の動きを検出した場合に、撮影した画像データと予め記憶する一定階調の画像データとを交互に記録媒体へ出力する切替手段と、を備えることを特徴とする撮影機器である。
【０００８】
本発明によれば、被写体が動いている場合には撮影した映像の中（連続する画像データの間）に黒画像が挿入されるため、ホールド型ディスプレイにおいてぼけが軽減される映像を記録媒体に記録することができる。またこれにより、黒画像を映像中に挿入する回路を備えたホールド型ディスプレイなどの表示装置が必要なくなり、表示装置を安価に提供することができる。
【０００９】
また本発明は、上述の撮影機器が、撮影した画像データを所定の第１タイミング毎に受付けてその都度一時記憶し、当該一時記憶した画像データを前記第１タイミングの整数ｎ倍（ｎ≧２）の第２タイミング毎に出力する第１の記憶手段を備え、前記距離測定手段は、前記被写体との距離を前記第２タイミング毎に測定し、前記動き検出手段は、前記距離の情報の入力を受付ける度にその距離の変化量に応じて前記被写体の動きを検出し、当該被写体の動きを検出した場合に動き検出信号を出力する動き検出手段と、前記切替手段は、前記動き検出信号の入力を検出した場合に、前記第１の記憶手段に記録された画像データと第２の記憶手段に予め記憶されている前記一定階調の画像データを前記第２タイミング毎に順に切り替えて記録媒体へ出力することを特徴とする。
【００１０】
本発明によれば、被写体が動いている場合には撮影した映像の中（連続する画像データの間）に黒画像が挿入されるため、ホールド型ディスプレイにおいてぼけが軽減される映像を記録媒体に記録することができる。またこれにより、黒画像を映像中に挿入する回路を備えたホールド型ディスプレイなどの表示装置が必要なくなり、表示装置を安価に提供することができる。
【００１１】
また本発明は、上述の撮影機器において、前記動き検出手段は、前記距離の変化量が所定の閾値以下である場合には、前記動き検出信号の出力の頻度を低下させることを特徴とする。
【００１２】
また、本発明によれば、黒画像データを多く挿入すると輝度が下がる為、黒画像データの挿入の割合を減少させることで、被写体に動きが少ない場合には輝度が必要以上に下がらないように制御することができる。
【発明を実施するための最良の形態】
【００１３】
以下、本発明の一実施形態による撮影機器を図面を参照して説明する。図１は撮影機器の構成を示すブロック図である。この図において、符号１は撮影機器である。そして撮影機器１において、受光素子１１は被写体を撮影して画像データの信号を出力する。また予備メモリ１２（第１の記憶手段）は、撮影された画像データを所定の第１タイミング（１／６０秒）毎に受付けてその都度一時記憶し、当該一時記憶した画像データを第１タイミングの整数ｎ倍（ｎ≧２，本実施形態においてはｎ＝２とする）の第２タイミング（１／１２０秒）毎に出力する。また距離計測部１３は、被写体との距離を第２タイミング毎に測定する。また動き検出回路１４は、距離の情報の入力を受付ける度にその距離の変化量に応じて被写体の動きを検出し、当該被写体の動きを検出した場合に動き検出信号を出力する。また黒画像記憶メモリ１５（第２の記憶手段）は画像の画素全体が所定の一定階調｛本実施形態では黒（最低階調）であるが、他の階調の値であってもよい｝である画像を記憶する。また切替回路１６は、動き検出信号の入力を検出した場合に、予備メモリに記録された画像データと黒画像記憶メモリ１５に予め記憶されている黒画像のデータを第２タイミング毎に順に切り替えてメインメモリ１７に書込む。また記録媒体１８は例えばＨＤＤ（Hard Disk Drive）やＤＶＤ（digital versatile disk）であり、この記録媒体１８にメインメモリ１７に書込まれた画像が順次書込まれる。
【００１４】
図２は撮影機器の処理フローを示す図である。
【００１５】
次に図２を用いて第１の実施形態による撮影機器の処理フローについて説明する。
【００１６】
まず受光素子１１｛例えばＣＣＤ（charge-coupled device）やＣＭＯＳ（complementary metal oxide semiconductor）センサなどのデジタル受光素子｝はレンズなどの光学系から取り込んだ信号（画像データ）を予備メモリ１２へ出力する（ステップＳ１０１）。ここで画像データは第１タイミング（１／６０秒）毎に受光素子１１から出力されて予備メモリ１２に書込まれるものとする。予備メモリ１２は画像データが書込まれると、当該予備メモリ１２内の読み出し回路が第２タイミング（１／１２０秒）毎に画像データを読み取って切替回路１６へ出力する（ステップＳ１０２）。つまり切替回路１６への画像データの出力が予備メモリ１２に書込まれる速度に対して２倍速化されている。
【００１７】
他方、撮影機器１が被写体を撮影中に距離測定部１３は被写体までの距離を測定する（ステップＳ１０３）。例えば距離測定部１３は、赤外線の反射波を検出して当該赤外線の送出から検出までの経過時刻に基づいて距離を測定する距離自動測定センサ（オートフォーカスカメラに利用されているセンサ。例えば特開平５−２０３８６１号公報などに記載されている）などである。この距離の測定は上述した第２タイミング（１／１２０秒）毎に行われる。つまり、予備メモリ１２から切替回路１６へ画像データが出力されるタイミングと同じタイミングで距離の測定を行えばよい。そして動き検出回路１４は、時系列に入力される連続する２つの距離を比較してその変化があるか否かを判定する（ステップＳ１０４）。そして距離が変化していれば、被写体が動いていると判定し、動き検出信号を出力する（ステップＳ１０５）。この動き検出信号は黒画像メモリ１５と切替回路１６に出力される。黒画像記憶メモリ１５は動き検出信号の入力を受付けると当該メモリ内の読み出し回路が第２タイミング（１／１２０秒）毎に画像データを読み取って切替回路１６へ出力する。
【００１８】
次に、切替回路１６は動き検出信号を受信した場合には、予備メモリ１２から出力された画像データと、黒画像記憶メモリ１５から出力された黒画像データとを第２タイミング毎に順次切替えてメインメモリ１７に出力する（ステップＳ１０６）。また切替回路１６は動き検出信号を受信しない場合には、予備メモリ１２から出力された画像データを出力、つまり倍速化されて予備メモリ１２から出力された画像をそのままメインメモリ１７へ出力する（ステップＳ１０７）。そしてメインメモリ１７は順次書込まれた画像を、当該メインメモリ１７内の読み出し回路が出力して記録媒体１８へ順次記録していく（ステップＳ１０９）。
【００１９】
図３は第１の実施形態による画像データの流れのイメージを示す図である。
【００２０】
この図の（１）で示すように、予備メモリ１２には第１タイミング（１／６０秒）毎に画像データが書込まれ、また動き検出信号が出力された場合には、（２）で示すように画像データと黒画像とが第２タイミング（１／１２０秒）毎に切替えてメインメモリ１７に書込まれる。
【００２１】
以上の処理により、被写体が動いている場合には撮影した映像の中（連続する画像データの間）に黒画像が挿入されるため、ホールド型ディスプレイにおいてぼけが軽減される映像を記録媒体に記録することができる。このようにして得られた映像を表示装置に提供すれば、黒画像を映像中に挿入する回路を備えたホールド型ディスプレイなどの表示装置が必要なくなり、表示装置を安価に提供することができる。
【００２２】
次に第２の実施形態について説明する。
【００２３】
撮影機器１における動き検出回路１４は被写体の動く量が少ない場合、つまり距離測定部１３から時系列に入力される連続する２つの距離を比較してその変化が所定の閾値以下である場合には、動き検出信号の出力の頻度を減らすようにしてもよい。例えば第１の実施形態においては、被写体の距離に変化があれば１／１２０秒ごとに動き検出信号を出力しているが、距離の変化が閾値以下である場合には、１／３０秒ごとに動き検出信号を出力する。
【００２４】
図４は第２の実施形態による画像データの流れのイメージを示す図である。
【００２５】
この図の（１）で示すように、予備メモリ１２には第１タイミング（１／６０秒）毎に画像データが書込まれ、また被写体に動きが少ない時には、（２）で示すように画像データと黒画像が１／３０秒毎に挿入されてメインメモリ１７に書込まれる。
【００２６】
つまり、黒画像データを多く挿入すると輝度が下がる為、黒画像データの挿入の割合を減少させることで、被写体に動きが少ない場合には輝度が必要以上に下がらないように制御することができる。
【００２７】
なお、被写体に動きがあるかどうかを検出するために、距離測定部１３以外の構成を用いてもよい。例えば、撮影機器１がジャイロセンサーを備え、カメラの傾きの検出や、カメラ自体が動く角速度を検出して、これらの情報により動き検出回路１４は被写体が動いたかどうかを検出する。または、例えば撮影機１がズームセンサを備え、撮影機器１のズーム量を検出する。撮影機器１がズーム動作を行った場合には被写体が動いた場合と考えることができるので、ズーム動作が行われた場合には、動き検出回路１４は被写体が動いたかどうかを検出する。
【図面の簡単な説明】
【００２８】
【図１】撮影機器の構成を示すブロック図である。
【図２】撮影機器の処理フローを示す図である。
【図３】第１の実施形態による画像データの流れのイメージを示す図である。
【図４】第２の実施形態による画像データの流れのイメージを示す図である。
【符号の説明】
【００２９】
１・・・撮影機器
１１・・・受光素子
１２・・・予備メモリ
１３・・・距離測定部
１４・・・動き検出回路
１５・・・黒画像記憶メモリ
１６・・・切替回路
１７・・・メインメモリ
１８・・・記録媒体
【図１】
2008072457.tif 000003
【図２】
2008072457.tif 000004
【図３】
2008072457.tif 000005
【図４】
2008072457.tif 000006